(57)【要約】【課題】火災が発生したときに、ホールドアパネルとホールドアパネルまたは、ホールドアパネルと三方枠の隙間が出来ないような遮煙構造を提供する。【解決手段】建屋のエレベータホールと昇降路との間の乗降部に設けられた三方枠と、三方枠に対向して左右方向に移動可能に配置され、その移動で乗降部を開閉するホールドアパネルと、ホールドアパネルの隙間に取り付けられ、弾性体からなるゴムチューブとを具備し、ゴムチューブを膨張させることにより、三方枠の上枠とホールドアパネルとの間の隙間を密閉するエレベータドアの遮煙装置。【選択図】図１
2013023366.tif 000002
【特許請求の範囲】
【請求項１】
建屋のエレベータホールと昇降路との間の乗降部に設けられた三方枠と、
前記三方枠に対向して左右方向に移動可能に配置され、その移動で前記乗降部を開閉するホールドアパネルと、
前記ホールドアパネルの隙間に取り付けられ、弾性体からなるゴムチューブとを具備し、
前記ゴムチューブを膨張させることにより、前記三方枠の上枠と前記ホールドアパネルとの間の隙間を密閉するエレベータドアの遮煙装置。
【請求項２】
建屋のエレベータホールと昇降路との間の乗降部に設けられた三方枠と、
前記三方枠に対向して左右方向に移動可能に配置され、その移動で前記乗降部を開閉するホールドアパネルと、
前記ホールドアパネルの隙間に取り付けられ、弾性体からなるゴムチューブとを具備し、
前記ゴムチューブを膨張させることにより、前記三方枠の上枠と前記ホールドアパネルとの間及び前記ホールドアパネル間の隙間を密閉するエレベータドアの遮煙装置。
【請求項３】
前記ゴムチューブは、扁平形状をしている請求項１又は請求項２に記載のエレベータ遮煙装置。
【請求項４】
前記ゴムチューブは、難燃性シリコンゴムチューブ又はふっ素ゴムチューブである請求項１乃至請求項３のいずれか１項に記載のエレベータドアの遮煙装置。
【請求項５】
エレベータホールの天井に煙感知器を設置し、この煙感知器による煙感知の信号を受けて、前記ゴムチューブを膨張させる請求項１乃至請求項４のいずれか１項に記載のエレベータドアの遮煙装置。
【請求項６】
昇降路内に配設され、流体を貯留するタンクと、
前記タンクと接続して、その近傍に配設され、前記タンク内部の流体を送出させるポンプとを具備し、
前記タンク内部の流体を前記ゴムチューブに流し込むことにより膨張させる請求項１乃至請求項５のいずれか１項に記載のエレベータドアの遮煙装置。
【請求項７】
エレベータホールに設置される温度センサを具備し、
エレベータホール近傍が所定温度まで上昇していることを検知すると、前記ポンプを再作動させ、流体を前記ゴムチューブに更に送り込んで膨張させ、膨張した圧力で前記ホールドアパネルの開閉を抑制する請求項１乃至請求項６のいずれか１項に記載のエレベータドアの遮煙装置。
【請求項８】
前記煙感知器は、前記温度センサが付帯したものである請求項１乃至請求項６のいずれか１項に記載のエレベータドアの遮煙装置。
【請求項９】
前記ゴムチューブは、前記煙感知器の信号の受信を契機として膨張し、前記温度センサの信号の受信を契機として更に膨張する２段階に膨らむ請求項８に記載のエレベータドアの遮煙装置。
【請求項１０】
火災発生階を基準とし、上下の階床へ順々に前記ゴムチューブの膨張を起動させる請求項１乃至請求項９のいずれか１項に記載のエレベータドアの遮煙装置。
【発明の詳細な説明】
【技術分野】
【０００１】
本発明の実施形態は、火災時にエレベータの乗りかご内に煙が入らないようにするエレベータドアの遮煙装置に関する。
【背景技術】
【０００２】
エレベータドアの遮煙装置として、三方枠の上枠に遮煙用のパッキンを容易に能率よく取り付けて、その上枠とドアパネルとの間の隙間を密閉することができる遮煙装置が提案されている（例えば、特許文献１参照。）。
【０００３】
また、エレベータの防災装置として、建屋のエレベータホールと昇降路との間の乗降部に設けられた三方枠と、この三方枠の下部に設けられた敷居と、三方枠と対向して敷居の上に配置された両開き式のドアパネルとを具備し、ドアパネルと三方枠の側枠部及び幕板部、ならびに敷居との間の各隙間をゴム等の弾性体からなる密閉部材によりそれぞれ密閉してエレベータホールと昇降路との間の気密性を高めるものが知られている（例えば、特許文献２参照。）。
【０００４】
従来の遮煙ドア構造は、ホールドアパネルに平板状のパッキンが取付けられている構造のため、ホール側またはカゴ側からの呼びがあった場合に、ドアが開いてしまう恐れがある。また、ドアが閉じている状態では、ゴムパッキンは常に変形している状態であるため、隙間が出来やすいという問題点があった。
【先行技術文献】
【特許文献】
【０００５】
【特許文献１】特開２００５−３０６５７８号公報
【特許文献２】特開２００５−１２６２３１号公報
【発明の概要】
【発明が解決しようとする課題】
【０００６】
本発明が解決しようとする課題は、火災が発生したときに、ホールドアパネルとホールドアパネルまたは、ホールドアパネルと三方枠の隙間が出来ないようなエレベータドアの遮煙装置を提供することである。
【課題を解決するための手段】
【０００７】
実施形態のエレベータドアの遮煙装置は、建屋のエレベータホールと昇降路との間の乗降部に設けられた三方枠と、前記三方枠に対向して左右方向に移動可能に配置され、その移動で前記乗降部を開閉するホールドアパネルと、前記ホールドアパネルの隙間に取り付けられ、弾性体からなるゴムチューブとを具備し、前記ゴムチューブを膨張させることにより、前記三方枠の上枠と前記ホールドアパネルとの間の隙間を密閉する。
【図面の簡単な説明】
【０００８】
【図１】エレベータの乗降部をエレベータホール側から見た斜視図である。
【図２】図１に示すエレベータホール側のホールドアパネルのＡ−Ａ面における断面図である。
【図３】作動前のホールドアパネルの要部断面図である。
【図４】作動後のホールドアパネルの要部断面図である。
【図５】遮煙構造の作動の流れを示すフローチャートである。
【発明を実施するための形態】
【０００９】
以下、本発明の一実施の形態について、図面を参照して説明する。尚、各図において同一箇所については同一の符号を付すとともに、重複した説明は省略する。
【００１０】
（第１の実施形態）
図１は、エレベータの乗降部をエレベータホール１側から見た斜視図である。エレベータホール１の壁面には乗降部としての出入口２が形成され、出入口２の奥方側が乗りかごが昇降する昇降路となっている。
【００１１】
出入口２には三方枠３が据え付けられ、この三方枠３は、左右側に配置された一対の側枠４と、これら側枠４の上部間に架設された上枠５とで門形に構成されている。
【００１２】
そして三方枠３の背面側に、出入口２を開閉する例えば一対の両開き式のホールドアパネル６が設けられている。ホールドアパネル６は、図示しないがその上部に複数のドアローラを有し、その各ドアローラが建屋の壁面に水平に据え付けられたドアレールに転動自在に掛け合わされて左右方向に移動自在に懸架され、その左右方向の移動により出入口２が開閉されるようになっている。エレベータホール１の天井には、煙感知器７が設置されている。
【００１３】
尚、出入口２の下部奥側部にはエレベータホール１の床面とほぼ面一に敷居８が水平に設けられ、この敷居８に沿ってホールドアパネル６が左右方向に移動する。煙感知器７は、火災の早期発見に有効であり、メッシュ部分に流入した煙を感知する。煙感知器７は、光を出す送光部とそれを受ける受光部を有し、煙が入ると煙の粒子に光が反射して受光部がその反射光を感知する光電式のものが好適である。
【００１４】
図２は、図１に示すエレベータホール１側のホールドアパネル６のＡ−Ａ面における断面図である。図２に示すように、ホールドアパネル６にゴムチユーブ９を取り付けている。昇降路１０内であって、ホールドアパネル６の上方には、流体を貯留したタンク１１が配設されている。タンク１１には、流体をゴムチユーブ９に送出させるポンプ１２が接続されている。ゴムチューブ９は、弾性体からなる細い形状のもので、流体を流し込まれると膨張する。ゴムチューブ９は、例えば、扁平形状とすることができる。流体としては、ゲル状のものが好適である。また、流体として、水も使用することができる。尚、ゴムチユーブ９を安全に速やかに膨張させられるものであれば、流体に限られず、気体であってもよい。
【００１５】
ゴムチューブ９は、例えば、難燃性シリコンゴムチューブやふっ素ゴムチューブが好適である。エレベータホール１側の天井に設置された煙感知器７とポンプ１２は、煙感知器―ポンプ間ケーブル１３で連結している構造となっている。煙感知器７が作動すると、信号がケーブル１３を通ってポンプ１２の図示しない受電部に送信され、ポンプ１２が作動する構造となっている。
【００１６】
次に、このように構成されたエレベータドアの遮煙構造の作動について説明する。図３は、作動前のホールドアパネル６の要部断面図であり、図４は、作動後のホールドアパネル６の要部断面図である。
【００１７】
エレベータホール１に設置された煙感知器７によって、火災の発生が確認された場合には、煙感知器７からポンプ１２を駆動させる信号が送られる。駆動信号を受信したポンプ１２は、タンク１１内のゴムチューブ９に流体を流し込むことで、ゴムチューブ９を膨張させる。
【００１８】
第１の実施形態によれば、膨張したゴムチューブ９はホールドアパネル６間の隙間または、ホールドアパネル６と三方枠３の隙間を埋め、煙を遮断することが可能である。
【００１９】
（第２の実施形態）
次に、第２の実施形態について説明する。第２の実施形態では、煙感知器７には温度センサ（図示しない）が付いている。煙感知器近傍の温度が、所定温度を超えると再び信号がポンプ１２に送信される。ここで、所定温度とは、例えば、ホールドアパネル６が長時間その温度にさらされた場合に、ホールドアパネル６が変形し始める温度に設定する。ホールドアパネル６が変形した場合には、乗客の乗りかごからの避難が困難になるからである。信号を受信したポンプ１２は再び作動し、ゴムチューブ９に流体を送り込む。さらに膨張したゴムチューブ９の圧力により、ホールドアパネル６の開閉を抑制することが可能となる。
【００２０】
（第３の実施形態）
次に、第３の実施形態について説明する。階床間連絡ケーブル１４により火災階を基準とし、上下階へ信号が送信される。上下階に設置されたポンプ１２は信号を受信すると作動し、ゴムチューブ９を膨張させる構造となっている。
【００２１】
尚、火災階の上下階での遮煙動作は、例えば、建物の防災センターを介して制御することも好適である。
【００２２】
図５は、遮煙構造の作動の流れを示すフローチャートである。まず、エレベータが設置された建物内で火災が発生する（ステップＳ５１）。火災の発生をエレベータホール１に設置された煙感知器７が感知する（ステップＳ５２）。煙感知器７から煙感知の信号がポンプ１２に送られ、ポンプ１２が作動する（ステップＳ５３）。ポンプ１２の作動によりタンク１１内の流体がゴムチューブ９に送り込まれ、膨張する（ステップＳ５４）。ゴムチューブ９の膨張により、ホールドアパネル６間の隙間または、ホールドアパネル６と三方枠３の隙間を埋め、煙を遮断する（ステップＳ５５）。
【００２３】
エレベータホール１に設置された温度センサで、火災によりエレベータホール１の温度上昇が検知される（ステップＳ５６）。温度センサで所定温度まで上昇していることが検知されると、その信号がポンプ１２に送られ、ポンプ１２が作動する（ステップＳ５７）。ポンプ１２の再作動によりタンク１１内の流体がゴムチューブ９に更に送り込まれ、ゴムチューブ９は膨張する（ステップＳ５８）。限界近くまで膨張したゴムチューブ９によって、ホールドアパネル６と三方枠３の隙間は略無くなり、ホールドアパネル６の開閉が抑制される（ステップＳ５９）。
【００２４】
尚、ステップＳ５３におけるポンプ作動信号を、火災発生階の上下階に配設したポンプ１２にも併せて送出し、作動信号を受信後、一定時間経過後に上下階のポンプ１２を作動させる（ステップＳ６０）ことも好適である。ここで、一定時間経過後に上下階のポンプ１２を作動させるのは、上下階への煙の到達までには余裕時間があるからである。上下階のポンプ１２を作動後は、上下階における遮煙動作がステップＳ５４からステップＳ５９の流れで行われる。
【００２５】
本実施形態によれば、火災が発生したときに、ホールドアパネル６とホールドアパネル６または、ホールドアパネル６と三方枠３の隙間が出来ないような遮煙が実現できる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１・・・エレベータホール
２・・・出入口
３・・・三方枠
４・・・側枠
５・・・上枠
６・・・ホールドアパネル
７・・・煙感知器
８・・・敷居
９・・・ゴムチューブ
１０・・・昇降路
１１・・・タンク
１２・・・ポンプ
１３・・・煙感知器―ポンプ間ケーブル
１４・・・階床間連絡ケーブル
【図１】
2013023366.tif 000003
【図２】
2013023366.tif 000004
【図３】
2013023366.tif 000005
【図４】
2013023366.tif 000006
【図５】
2013023366.tif 000007